【手続補正書】
【提出日】平成25年11月28日(2013.11.28)
【手続補正１】
【補正対象書類名】特許請求の範囲
【補正対象項目名】全文
【補正方法】変更
【補正の内容】
【特許請求の範囲】
【請求項１】
複数のコンテンツ情報の中の少なくとも一部のコンテンツ情報を所定の並び順にしたがって端末装置の表示画面に表示させる情報処理装置であって、
前記複数のコンテンツ情報の中から、ユーザに注目させるコンテンツ情報として予め設定された注目コンテンツ情報を特定する注目コンテンツ情報特定手段と、
前記注目コンテンツ情報特定手段により特定された注目コンテンツ情報の複製である少なくとも１つの複製コンテンツ情報を、前記並び順における何れかの挿入位置に挿入させる挿入手段と、
前記複数のコンテンツ情報の中の少なくとも一部を含む表示内容をスクロールさせるユーザ操作に応じて、前記スクロールの開始以後スクロール中に、前記挿入手段により挿入される前記複製コンテンツ情報を前記表示画面に表示させ、前記スクロールの停止時に、前記表示画面に表示されている前記複製コンテンツ情報の全部又は一部を非表示にさせる表示制御手段と、
を備えることを特徴とする情報処理装置。
【請求項２】
前記表示制御手段は、前記スクロールの停止時に、前記表示画面に表示されている複数の前記複製コンテンツ情報のうち少なくとも何れか１つの前記複製コンテンツ情報の表示を継続させ、且つ、当該表示を継続させる前記複製コンテンツ情報以外の前記複製コンテンツ情報を非表示にさせることを特徴とする請求項１に記載の情報処理装置。
【請求項３】
複数のコンテンツ情報の中の少なくとも一部のコンテンツ情報を所定の並び順にしたがって端末装置の表示画面に表示させる情報処理装置であって、
前記複数のコンテンツ情報の中から、ユーザに注目させるコンテンツ情報として予め設定された注目コンテンツ情報を特定する注目コンテンツ情報特定手段と、
前記複数のコンテンツ情報の中の少なくとも一部を含む表示内容をスクロールさせるユーザ操作に応じて、当該スクロールの方向を示す方向情報を取得する方向情報取得手段と、
前記方向情報取得手段により取得された前記方向情報に基づいて、前記スクロールの開始前に前記表示画面への表示対象外である表示対象外範囲の中で前記スクロールにより前記表示画面への表示対象となる範囲を特定し、前記注目コンテンツ情報特定手段により特定された注目コンテンツ情報の複製である少なくとも１つの複製コンテンツ情報を、前記特定した範囲内の前記並び順における挿入位置に挿入させる挿入手段と、
前記表示内容をスクロールさせるユーザ操作に応じて、前記挿入手段により挿入される前記複製コンテンツ情報を前記表示画面に表示させる表示制御手段と、
を備えることを特徴とする情報処理装置。
【請求項４】
複数のコンテンツ情報の中の少なくとも一部のコンテンツ情報を所定の並び順にしたがって端末装置の表示画面に表示させる情報処理装置であって、
前記複数のコンテンツ情報の中から、ユーザに注目させるコンテンツ情報として予め設定された注目コンテンツ情報を特定する注目コンテンツ情報特定手段と、
前記複数のコンテンツ情報の中の少なくとも一部を含む表示内容をスクロールさせるユーザ操作に応じて、当該スクロールの速度を示す速度情報を取得する速度情報取得手段と、
前記注目コンテンツ情報特定手段により特定された注目コンテンツ情報の複製である少なくとも１つの複製コンテンツ情報を、前記並び順における何れかの挿入位置に挿入させる挿入手段と、
前記表示内容をスクロールさせるユーザ操作に応じて、前記挿入手段により挿入される前記複製コンテンツ情報を前記表示画面に表示させる表示制御手段と、
を備え、
前記挿入手段は、前記複製コンテンツ情報の挿入数、または、複数の異なる前記挿入位置に挿入させる前記複製コンテンツ情報の挿入間隔を、前記速度情報取得手段により取得された前記速度情報が示す速度に応じて変化させることを特徴とする情報処理装置。
【請求項５】
複数のコンテンツ情報の中の少なくとも一部のコンテンツ情報を所定の並び順にしたがって端末装置の表示画面に表示させる情報処理装置であって、
前記複数のコンテンツ情報の中から、ユーザに注目させるコンテンツ情報として予め設定された注目コンテンツ情報を特定する注目コンテンツ情報特定手段と、
前記注目コンテンツ情報特定手段により特定された注目コンテンツ情報の複製である少なくとも１つの複製コンテンツ情報を、前記並び順における何れかの挿入位置に挿入させる挿入手段と、
前記複数のコンテンツ情報の中の少なくとも一部を含む表示内容をスクロールさせるユーザ操作に応じて、前記挿入手段により挿入される前記複製コンテンツ情報を前記表示画面に表示させる表示制御手段と、
を備え、
前記挿入手段が、前記スクロールの開始前に、前記スクロールの方向と並行な方向における前記表示画面の長さより短い挿入間隔で、前記複製コンテンツ情報を非表示状態で複数の前記挿入位置に挿入させておき、
前記表示制御手段は、前記スクロールの停止時に、前記表示画面内に位置する前記複製コンテンツ情報を表示状態に切り替えることにより、当該複製コンテンツ情報を前記表示画面に表示させることを特徴とする情報処理装置。
【請求項６】
複数のコンテンツ情報の中の少なくとも一部のコンテンツ情報を所定の並び順にしたがって端末装置の表示画面に表示させるコンピュータにより実行される情報処理方法であって、
前記複数のコンテンツ情報の中から、ユーザに注目させるコンテンツ情報として予め設定された注目コンテンツ情報を特定するステップと、
前記特定された注目コンテンツ情報の複製である少なくとも１つの複製コンテンツ情報を、前記並び順における何れかの挿入位置に挿入させるステップと、
前記複数のコンテンツ情報の中の少なくとも一部を含む表示内容をスクロールさせるユーザ操作に応じて、前記スクロールの開始以後スクロール中に、前記挿入される前記複製コンテンツ情報を前記表示画面に表示させ、前記スクロールの停止時に、前記表示画面に表示されている前記複製コンテンツ情報の全部又は一部を非表示にさせるステップと、
を含むことを特徴とする情報処理方法。
【請求項７】
複数のコンテンツ情報の中の少なくとも一部のコンテンツ情報を所定の並び順にしたがって端末装置の表示画面に表示させるコンピュータにより実行される情報処理方法であって、
前記複数のコンテンツ情報の中から、ユーザに注目させるコンテンツ情報として予め設定された注目コンテンツ情報を特定するステップと、
前記複数のコンテンツ情報の中の少なくとも一部を含む表示内容をスクロールさせるユーザ操作に応じて、当該スクロールの方向を示す方向情報を取得するステップと、
前記取得された前記方向情報に基づいて、前記スクロールの開始前に前記表示画面への表示対象外である表示対象外範囲の中で前記スクロールにより前記表示画面への表示対象となる範囲を特定し、前記特定された注目コンテンツ情報の複製である少なくとも１つの複製コンテンツ情報を、前記特定した範囲内の前記並び順における挿入位置に挿入させるステップと、
前記表示内容をスクロールさせるユーザ操作に応じて、前記挿入される前記複製コンテンツ情報を前記表示画面に表示させるステップと、
を含むことを特徴とする情報処理方法。
【請求項８】
複数のコンテンツ情報の中の少なくとも一部のコンテンツ情報を所定の並び順にしたがって端末装置の表示画面に表示させるコンピュータにより実行される情報処理方法であって、
前記複数のコンテンツ情報の中から、ユーザに注目させるコンテンツ情報として予め設定された注目コンテンツ情報を特定するステップと、
前記複数のコンテンツ情報の中の少なくとも一部を含む表示内容をスクロールさせるユーザ操作に応じて、当該スクロールの速度を示す速度情報を取得するステップと、
前記特定された注目コンテンツ情報の複製である少なくとも１つの複製コンテンツ情報を、前記並び順における何れかの挿入位置に挿入させる挿入ステップと、
前記表示内容をスクロールさせるユーザ操作に応じて、前記挿入される前記複製コンテンツ情報を前記表示画面に表示させるステップと、
を含み、
前記挿入ステップにおいては、前記複製コンテンツ情報の挿入数、または、複数の異なる前記挿入位置に挿入させる前記複製コンテンツ情報の挿入間隔を、前記取得された前記速度情報が示す速度に応じて変化させることを特徴とする情報処理方法。
【請求項９】
複数のコンテンツ情報の中の少なくとも一部のコンテンツ情報を所定の並び順にしたがって端末装置の表示画面に表示させるコンピュータにより実行される情報処理方法であって、
前記複数のコンテンツ情報の中から、ユーザに注目させるコンテンツ情報として予め設定された注目コンテンツ情報を特定するステップと、
前記特定された注目コンテンツ情報の複製である少なくとも１つの複製コンテンツ情報を、前記並び順における何れかの挿入位置に挿入させる挿入ステップと、
前記複数のコンテンツ情報の中の少なくとも一部を含む表示内容をスクロールさせるユーザ操作に応じて、前記挿入される前記複製コンテンツ情報を前記表示画面に表示させる表示制御ステップと、
を含み、
前記挿入ステップにおいて、前記スクロールの開始前に、前記スクロールの方向と並行な方向における前記表示画面の長さより短い挿入間隔で、前記複製コンテンツ情報を非表示状態で複数の前記挿入位置に挿入させておき、
前記表示制御ステップにおいては、前記スクロールの停止時に、前記表示画面内に位置する前記複製コンテンツ情報を表示状態に切り替えることにより、当該複製コンテンツ情報を前記表示画面に表示させることを特徴とする情報処理方法。
【請求項１０】
複数のコンテンツ情報の中の少なくとも一部のコンテンツ情報を所定の並び順にしたがって端末装置の表示画面に表示させるコンピュータを、
前記複数のコンテンツ情報の中から、ユーザに注目させるコンテンツ情報として予め設定された注目コンテンツ情報を特定する注目コンテンツ情報特定手段と、
前記注目コンテンツ情報特定手段により特定された注目コンテンツ情報の複製である少なくとも１つの複製コンテンツ情報を、前記並び順における何れかの挿入位置に挿入させる挿入手段と、
前記複数のコンテンツ情報の中の少なくとも一部を含む表示内容をスクロールさせるユーザ操作に応じて、前記スクロールの開始以後スクロール中に、前記挿入手段により挿入される前記複製コンテンツ情報を前記表示画面に表示させ、前記スクロールの停止時に、前記表示画面に表示されている前記複製コンテンツ情報の全部又は一部を非表示にさせる表示制御手段として機能させることを特徴とする情報処理プログラム。
【請求項１１】
複数のコンテンツ情報の中の少なくとも一部のコンテンツ情報を所定の並び順にしたがって端末装置の表示画面に表示させるコンピュータを、
前記複数のコンテンツ情報の中から、ユーザに注目させるコンテンツ情報として予め設定された注目コンテンツ情報を特定する注目コンテンツ情報特定手段と、
前記複数のコンテンツ情報の中の少なくとも一部を含む表示内容をスクロールさせるユーザ操作に応じて、当該スクロールの方向を示す方向情報を取得する方向情報取得手段と、
前記方向情報取得手段により取得された前記方向情報に基づいて、前記スクロールの開始前に前記表示画面への表示対象外である表示対象外範囲の中で前記スクロールにより前記表示画面への表示対象となる範囲を特定し、前記注目コンテンツ情報特定手段により特定された注目コンテンツ情報の複製である少なくとも１つの複製コンテンツ情報を、前記特定した範囲内の前記並び順における挿入位置に挿入させる挿入手段と、
前記表示内容をスクロールさせるユーザ操作に応じて、前記挿入手段により挿入される前記複製コンテンツ情報を前記表示画面に表示させる表示制御手段として機能させることを特徴とする情報処理プログラム。
【請求項１２】
複数のコンテンツ情報の中の少なくとも一部のコンテンツ情報を所定の並び順にしたがって端末装置の表示画面に表示させるコンピュータを、
前記複数のコンテンツ情報の中から、ユーザに注目させるコンテンツ情報として予め設定された注目コンテンツ情報を特定する注目コンテンツ情報特定手段と、
前記複数のコンテンツ情報の中の少なくとも一部を含む表示内容をスクロールさせるユーザ操作に応じて、当該スクロールの速度を示す速度情報を取得する速度情報取得手段と、
前記注目コンテンツ情報特定手段により特定された注目コンテンツ情報の複製である少なくとも１つの複製コンテンツ情報を、前記並び順における何れかの挿入位置に挿入させる挿入手段と、
前記表示内容をスクロールさせるユーザ操作に応じて、前記挿入手段により挿入される前記複製コンテンツ情報を前記表示画面に表示させる表示制御手段として機能させる情報処理プログラムであって、
前記挿入手段が、前記複製コンテンツ情報の挿入数、または、複数の異なる前記挿入位置に挿入させる前記複製コンテンツ情報の挿入間隔を、前記速度情報取得手段により取得された前記速度情報が示す速度に応じて変化させることを特徴とする情報処理プログラム。
【請求項１３】
複数のコンテンツ情報の中の少なくとも一部のコンテンツ情報を所定の並び順にしたがって端末装置の表示画面に表示させるコンピュータを、
前記複数のコンテンツ情報の中から、ユーザに注目させるコンテンツ情報として予め設定された注目コンテンツ情報を特定する注目コンテンツ情報特定手段と、
前記注目コンテンツ情報特定手段により特定された注目コンテンツ情報の複製である少なくとも１つの複製コンテンツ情報を、前記並び順における何れかの挿入位置に挿入させる挿入手段と、
前記複数のコンテンツ情報の中の少なくとも一部を含む表示内容をスクロールさせるユーザ操作に応じて、前記挿入手段により挿入される前記複製コンテンツ情報を前記表示画面に表示させる表示制御手段として機能させる情報処理プログラムであって、
前記挿入手段が、前記スクロールの開始前に、前記スクロールの方向と並行な方向における前記表示画面の長さより短い挿入間隔で、前記複製コンテンツ情報を非表示状態で複数の前記挿入位置に挿入させておき、
前記表示制御手段が、前記スクロールの停止時に、前記表示画面内に位置する前記複製コンテンツ情報を表示状態に切り替えることにより、当該複製コンテンツ情報を前記表示画面に表示させることを特徴とする情報処理プログラム。
【手続補正２】
【補正対象書類名】明細書
【補正対象項目名】０００７
【補正方法】変更
【補正の内容】
【０００７】
上記課題を解決するために、請求項１に記載の発明は、複数のコンテンツ情報の中の少なくとも一部のコンテンツ情報を所定の並び順にしたがって端末装置の表示画面に表示させる情報処理装置であって、前記複数のコンテンツ情報の中から、ユーザに注目させるコンテンツ情報として予め設定された注目コンテンツ情報を特定する注目コンテンツ情報特定手段と、前記注目コンテンツ情報特定手段により特定された注目コンテンツ情報の複製である少なくとも１つの複製コンテンツ情報を、前記並び順における何れかの挿入位置に挿入させる挿入手段と、前記複数のコンテンツ情報の中の少なくとも一部を含む表示内容をスクロールさせるユーザ操作に応じて、前記スクロールの開始以後スクロール中に、前記挿入手段により挿入される前記複製コンテンツ情報を前記表示画面に表示させ、前記スクロールの停止時に、前記表示画面に表示されている前記複製コンテンツ情報の全部又は一部を非表示にさせる表示制御手段と、を備えることを特徴とする。
【手続補正３】
【補正対象書類名】明細書
【補正対象項目名】０００８
【補正方法】変更
【補正の内容】
【０００８】
この発明によれば、複数のコンテンツ情報の中に含まれる注目コンテンツ情報の複製コンテンツ情報を、所定の並び順における何れかの挿入位置に挿入させ、スクロールさせるユーザ操作に応じて、当該複製コンテンツ情報を表示画面に表示させるように構成したので、スクロールにより注目コンテンツ情報が表示画面外へ追い出されるような場合であっても、注目コンテンツ情報の出現（露出）機会を増やしてユーザに注目され易くすることができ、スクロール停止時に、注目コンテンツ情報の複製コンテンツ情報が、ユーザによる他のコンテンツ情報の閲覧の邪魔にならないようにさせることができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項２に記載の発明は、請求項１に記載の情報処理装置において、前記表示制御手段は、前記スクロールの停止時に、前記表示画面に表示されている複数の前記複製コンテンツ情報のうち少なくとも何れか１つの前記複製コンテンツ情報の表示を継続させ、且つ、当該表示を継続させる前記複製コンテンツ情報以外の前記複製コンテンツ情報を非表示にさせることを特徴とする。
【手続補正９】
【補正対象書類名】明細書
【補正対象項目名】００１５
【補正方法】変更
【補正の内容】
【００１５】
請求項３に記載の発明は、複数のコンテンツ情報の中の少なくとも一部のコンテンツ情報を所定の並び順にしたがって端末装置の表示画面に表示させる情報処理装置であって、前記複数のコンテンツ情報の中から、ユーザに注目させるコンテンツ情報として予め設定された注目コンテンツ情報を特定する注目コンテンツ情報特定手段と、前記複数のコンテンツ情報の中の少なくとも一部を含む表示内容をスクロールさせるユーザ操作に応じて、当該スクロールの方向を示す方向情報を取得する方向情報取得手段と、前記方向情報取得手段により取得された前記方向情報に基づいて、前記スクロールの開始前に前記表示画面への表示対象外である表示対象外範囲の中で前記スクロールにより前記表示画面への表示対象となる範囲を特定し、前記注目コンテンツ情報特定手段により特定された注目コンテンツ情報の複製である少なくとも１つの複製コンテンツ情報を、前記特定した範囲内の前記並び順における挿入位置に挿入させる挿入手段と、前記表示内容をスクロールさせるユーザ操作に応じて、前記挿入手段により挿入される前記複製コンテンツ情報を前記表示画面に表示させる表示制御手段と、を備えることを特徴とする。
【手続補正１０】
【補正対象書類名】明細書
【補正対象項目名】００１７
【補正方法】変更
【補正の内容】
【００１７】
請求項４に記載の発明は、複数のコンテンツ情報の中の少なくとも一部のコンテンツ情報を所定の並び順にしたがって端末装置の表示画面に表示させる情報処理装置であって、前記複数のコンテンツ情報の中から、ユーザに注目させるコンテンツ情報として予め設定された注目コンテンツ情報を特定する注目コンテンツ情報特定手段と、前記複数のコンテンツ情報の中の少なくとも一部を含む表示内容をスクロールさせるユーザ操作に応じて、当該スクロールの速度を示す速度情報を取得する速度情報取得手段と、前記注目コンテンツ情報特定手段により特定された注目コンテンツ情報の複製である少なくとも１つの複製コンテンツ情報を、前記並び順における何れかの挿入位置に挿入させる挿入手段と、前記表示内容をスクロールさせるユーザ操作に応じて、前記挿入手段により挿入される前記複製コンテンツ情報を前記表示画面に表示させる表示制御手段と、を備え、前記挿入手段は、前記複製コンテンツ情報の挿入数、または、複数の異なる前記挿入位置に挿入させる前記複製コンテンツ情報の挿入間隔を、前記速度情報取得手段により取得された前記速度情報が示す速度に応じて変化させることを特徴とする。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】変更
【補正の内容】
【００２３】
請求項５に記載の発明は、複数のコンテンツ情報の中の少なくとも一部のコンテンツ情報を所定の並び順にしたがって端末装置の表示画面に表示させる情報処理装置であって、前記複数のコンテンツ情報の中から、ユーザに注目させるコンテンツ情報として予め設定された注目コンテンツ情報を特定する注目コンテンツ情報特定手段と、前記注目コンテンツ情報特定手段により特定された注目コンテンツ情報の複製である少なくとも１つの複製コンテンツ情報を、前記並び順における何れかの挿入位置に挿入させる挿入手段と、前記複数のコンテンツ情報の中の少なくとも一部を含む表示内容をスクロールさせるユーザ操作に応じて、前記挿入手段により挿入される前記複製コンテンツ情報を前記表示画面に表示させる表示制御手段と、を備え、前記挿入手段が、前記スクロールの開始前に、前記スクロールの方向と並行な方向における前記表示画面の長さより短い挿入間隔で、前記複製コンテンツ情報を非表示状態で複数の前記挿入位置に挿入させておき、前記表示制御手段は、前記スクロールの停止時に、前記表示画面内に位置する前記複製コンテンツ情報を表示状態に切り替えることにより、当該複製コンテンツ情報を前記表示画面に表示させることを特徴とする。
【手続補正１６】
【補正対象書類名】明細書
【補正対象項目名】００２５
【補正方法】変更
【補正の内容】
【００２５】
請求項６に記載の発明は、複数のコンテンツ情報の中の少なくとも一部のコンテンツ情報を所定の並び順にしたがって端末装置の表示画面に表示させるコンピュータにより実行される情報処理方法であって、前記複数のコンテンツ情報の中から、ユーザに注目させるコンテンツ情報として予め設定された注目コンテンツ情報を特定するステップと、前記特定された注目コンテンツ情報の複製である少なくとも１つの複製コンテンツ情報を、前記並び順における何れかの挿入位置に挿入させるステップと、前記複数のコンテンツ情報の中の少なくとも一部を含む表示内容をスクロールさせるユーザ操作に応じて、前記スクロールの開始以後スクロール中に、前記挿入される前記複製コンテンツ情報を前記表示画面に表示させ、前記スクロールの停止時に、前記表示画面に表示されている前記複製コンテンツ情報の全部又は一部を非表示にさせるステップと、を含むことを特徴とする。請求項７に記載の発明は、複数のコンテンツ情報の中の少なくとも一部のコンテンツ情報を所定の並び順にしたがって端末装置の表示画面に表示させるコンピュータにより実行される情報処理方法であって、前記複数のコンテンツ情報の中から、ユーザに注目させるコンテンツ情報として予め設定された注目コンテンツ情報を特定するステップと、前記複数のコンテンツ情報の中の少なくとも一部を含む表示内容をスクロールさせるユーザ操作に応じて、当該スクロールの方向を示す方向情報を取得するステップと、前記取得された前記方向情報に基づいて、前記スクロールの開始前に前記表示画面への表示対象外である表示対象外範囲の中で前記スクロールにより前記表示画面への表示対象となる範囲を特定し、前記特定された注目コンテンツ情報の複製である少なくとも１つの複製コンテンツ情報を、前記特定した範囲内の前記並び順における挿入位置に挿入させるステップと、前記表示内容をスクロールさせるユーザ操作に応じて、前記挿入される前記複製コンテンツ情報を前記表示画面に表示させるステップと、を含むことを特徴とする。請求項８に記載の発明は、複数のコンテンツ情報の中の少なくとも一部のコンテンツ情報を所定の並び順にしたがって端末装置の表示画面に表示させるコンピュータにより実行される情報処理方法であって、前記複数のコンテンツ情報の中から、ユーザに注目させるコンテンツ情報として予め設定された注目コンテンツ情報を特定するステップと、前記複数のコンテンツ情報の中の少なくとも一部を含む表示内容をスクロールさせるユーザ操作に応じて、当該スクロールの速度を示す速度情報を取得するステップと、前記特定された注目コンテンツ情報の複製である少なくとも１つの複製コンテンツ情報を、前記並び順における何れかの挿入位置に挿入させる挿入ステップと、前記表示内容をスクロールさせるユーザ操作に応じて、前記挿入される前記複製コンテンツ情報を前記表示画面に表示させるステップと、を含み、前記挿入ステップにおいては、前記複製コンテンツ情報の挿入数、または、複数の異なる前記挿入位置に挿入させる前記複製コンテンツ情報の挿入間隔を、前記取得された前記速度情報が示す速度に応じて変化させることを特徴とする。請求項９に記載の発明は、複数のコンテンツ情報の中の少なくとも一部のコンテンツ情報を所定の並び順にしたがって端末装置の表示画面に表示させるコンピュータにより実行される情報処理方法であって、前記複数のコンテンツ情報の中から、ユーザに注目させるコンテンツ情報として予め設定された注目コンテンツ情報を特定するステップと、前記特定された注目コンテンツ情報の複製である少なくとも１つの複製コンテンツ情報を、前記並び順における何れかの挿入位置に挿入させる挿入ステップと、前記複数のコンテンツ情報の中の少なくとも一部を含む表示内容をスクロールさせるユーザ操作に応じて、前記挿入される前記複製コンテンツ情報を前記表示画面に表示させる表示制御ステップと、を含み、前記挿入ステップにおいて、前記スクロールの開始前に、前記スクロールの方向と並行な方向における前記表示画面の長さより短い挿入間隔で、前記複製コンテンツ情報を非表示状態で複数の前記挿入位置に挿入させておき、前記表示制御ステップにおいては、前記スクロールの停止時に、前記表示画面内に位置する前記複製コンテンツ情報を表示状態に切り替えることにより、当該複製コンテンツ情報を前記表示画面に表示させることを特徴とする。
【手続補正１７】
【補正対象書類名】明細書
【補正対象項目名】００２６
【補正方法】変更
【補正の内容】
【００２６】
請求項１０に記載の情報処理プログラム（コンピュータ読み取り可能なプログラム）は、複数のコンテンツ情報の中の少なくとも一部のコンテンツ情報を所定の並び順にしたがって端末装置の表示画面に表示させるコンピュータを、前記複数のコンテンツ情報の中から、ユーザに注目させるコンテンツ情報として予め設定された注目コンテンツ情報を特定する注目コンテンツ情報特定手段と、前記注目コンテンツ情報特定手段により特定された注目コンテンツ情報の複製である少なくとも１つの複製コンテンツ情報を、前記並び順における何れかの挿入位置に挿入させる挿入手段と、前記複数のコンテンツ情報の中の少なくとも一部を含む表示内容をスクロールさせるユーザ操作に応じて、前記スクロールの開始以後スクロール中に、前記挿入手段により挿入される前記複製コンテンツ情報を前記表示画面に表示させ、前記スクロールの停止時に、前記表示画面に表示されている前記複製コンテンツ情報の全部又は一部を非表示にさせる表示制御手段として機能させることを特徴とする。請求項１１に記載の情報処理プログラムは、複数のコンテンツ情報の中の少なくとも一部のコンテンツ情報を所定の並び順にしたがって端末装置の表示画面に表示させるコンピュータを、前記複数のコンテンツ情報の中から、ユーザに注目させるコンテンツ情報として予め設定された注目コンテンツ情報を特定する注目コンテンツ情報特定手段と、前記複数のコンテンツ情報の中の少なくとも一部を含む表示内容をスクロールさせるユーザ操作に応じて、当該スクロールの方向を示す方向情報を取得する方向情報取得手段と、前記方向情報取得手段により取得された前記方向情報に基づいて、前記スクロールの開始前に前記表示画面への表示対象外である表示対象外範囲の中で前記スクロールにより前記表示画面への表示対象となる範囲を特定し、前記注目コンテンツ情報特定手段により特定された注目コンテンツ情報の複製である少なくとも１つの複製コンテンツ情報を、前記特定した範囲内の前記並び順における挿入位置に挿入させる挿入手段と、前記表示内容をスクロールさせるユーザ操作に応じて、前記挿入手段により挿入される前記複製コンテンツ情報を前記表示画面に表示させる表示制御手段として機能させることを特徴とする。請求項１２に記載の情報処理プログラムは、複数のコンテンツ情報の中の少なくとも一部のコンテンツ情報を所定の並び順にしたがって端末装置の表示画面に表示させるコンピュータを、前記複数のコンテンツ情報の中から、ユーザに注目させるコンテンツ情報として予め設定された注目コンテンツ情報を特定する注目コンテンツ情報特定手段と、前記複数のコンテンツ情報の中の少なくとも一部を含む表示内容をスクロールさせるユーザ操作に応じて、当該スクロールの速度を示す速度情報を取得する速度情報取得手段と、前記注目コンテンツ情報特定手段により特定された注目コンテンツ情報の複製である少なくとも１つの複製コンテンツ情報を、前記並び順における何れかの挿入位置に挿入させる挿入手段と、前記表示内容をスクロールさせるユーザ操作に応じて、前記挿入手段により挿入される前記複製コンテンツ情報を前記表示画面に表示させる表示制御手段として機能させる情報処理プログラムであって、前記挿入手段が、前記複製コンテンツ情報の挿入数、または、複数の異なる前記挿入位置に挿入させる前記複製コンテンツ情報の挿入間隔を、前記速度情報取得手段により取得された前記速度情報が示す速度に応じて変化させることを特徴とする。請求項１３に記載の情報処理プログラムは、複数のコンテンツ情報の中の少なくとも一部のコンテンツ情報を所定の並び順にしたがって端末装置の表示画面に表示させるコンピュータを、前記複数のコンテンツ情報の中から、ユーザに注目させるコンテンツ情報として予め設定された注目コンテンツ情報を特定する注目コンテンツ情報特定手段と、前記注目コンテンツ情報特定手段により特定された注目コンテンツ情報の複製である少なくとも１つの複製コンテンツ情報を、前記並び順における何れかの挿入位置に挿入させる挿入手段と、前記複数のコンテンツ情報の中の少なくとも一部を含む表示内容をスクロールさせるユーザ操作に応じて、前記挿入手段により挿入される前記複製コンテンツ情報を前記表示画面に表示させる表示制御手段として機能させる情報処理プログラムであって、前記挿入手段が、前記スクロールの開始前に、前記スクロールの方向と並行な方向における前記表示画面の長さより短い挿入間隔で、前記複製コンテンツ情報を非表示状態で複数の前記挿入位置に挿入させておき、前記表示制御手段が、前記スクロールの停止時に、前記表示画面内に位置する前記複製コンテンツ情報を表示状態に切り替えることにより、当該複製コンテンツ情報を前記表示画面に表示させることを特徴とする。
【手続補正１８】
【補正対象書類名】明細書
【補正対象項目名】００２７
【補正方法】削除
【補正の内容】
【手続補正１９】
【補正対象書類名】明細書
【補正対象項目名】発明の名称
【補正方法】変更
【補正の内容】
【発明の名称】情報処理装置、情報処理方法、及び情報処理プログラム